Podtech/llm-jp-corpus-v4-ja_patent huggingface dataset:
【手続補正書】
【提出日】平成16年12月14日(2004.12.14)
【手続補正１】
【補正対象書類名】明細書
【補正対象項目名】特許請求の範囲
【補正方法】変更
【補正の内容】
【特許請求の範囲】
【請求項１】
記録媒体に記録された画像を読取る読取手段と、前記読取手段により読取られた画像データをネットワークを介して送信する送信手段と、前記送信手段により送信する際の宛先を設定する設定手段とを有する画像読取装置であって、
前記設定手段は、前記画像データの宛先を前記ネットワーク上で探索する探索手段を有することを特徴とする画像読取装置。
【請求項２】
前記探索手段は、タッチパネルの操作に基づいて前記宛先を探索することを特徴とする請求項１に記載の画像読取装置。
【請求項３】
前記探索手段は、前記タッチパネル上にＵＩ（Ｕｓｅｒ  Ｉｎｔｅｒｆａｃｅ）画面を表示する表示制御手段を有し、該表示制御手段は、該ＵＩを介して宛先項目の指定を案内することを特徴とする請求項１又は２に記載の画像読取装置。
【請求項４】
前記表示制御手段は、階層状の宛先情報について、現在よりより深い階層、又は浅い階層を指定するためのボタンを前記ＵＩ画面上に表示することを特徴とする請求項３に記載の画像読取装置。
【請求項５】
前記表示制御手段は、前記探索手段により探索された宛先のリストを前記ＵＩ画面の所定エリアに表示することを特徴とする請求項３又は４に記載の画像読取装置。
【請求項６】
前記探索手段は、前記宛先として少なくとも送信先の装置の名称、ディレクトリの名称を探索することを特徴とする請求項１〜５の何れかに記載の画像読取装置。
【請求項７】
前記探索手段は、前記ディレクトリの名称については、前記送信先の装置から探索することを特徴とする請求項１〜６の何れかに記載の画像読取装置。
【請求項８】
前記探索手段は、探索した装置がユーザにより選択された場合、該装置に対するアクセスを試みて、アクセスするのに認証を要するか否かを判断する判断手段を有することを特徴とする請求項１〜７の何れかに記載の画像読取装置。
【請求項９】
前記表示制御手段は、前記判断手段により認証を要すると判断された場合、前記ＵＩ画面上にユーザ名とパスワードを入力するエリアを形成することを特徴とする請求項３〜８の何れかに記載の画像読取装置。
【請求項１０】
前記エリアに入力されたユーザ名とパスワードに基づいて前記探索手段により対応の装置にログインを試みた結果、ログインに失敗した場合に、前記表示制御手段は、前記ＵＩ画面上にエラーメッセージを表示することを特徴とする請求項３〜９の何れかに記載の画像読取装置。
【請求項１１】
画像読取装置は、画像読取機能、複写機能、印刷機能等の複数の機能を有する複合装置により構成されたことを特徴とする請求項３〜１０の何れかに記載の画像読取装置。
【請求項１２】
記録媒体に記録された画像を読取る読取工程と、前記読取工程により読取られた画像データをネットワークを介して送信する送信工程と、前記送信工程により送信する際の宛先を設定する設定工程とを有する画像読取装置の制御方法であって、
前記設定工程は、前記画像データの宛先を前記ネットワーク上で探索する探索工程を有することを特徴とする画像読取装置の制御方法。
【請求項１３】
画像読取装置により読取られた画像データをネットワーク上の装置に送信して画像処理を行う画像処理システムであって、
前記画像読取装置は、前記画像データを前記ネットワークを介して送信するのに必要な宛先を探索する探索手段を有することを特徴とする画像読取装置システム。
【請求項１４】
前記探索手段は、タッチパネルの操作に基づいて前記宛先を探索することを特徴とする請求項１３に記載の画像読取システム。
【請求項１５】
前記探索手段は、前記タッチパネル上にＵＩ（ＵｓｅｒＩｎｔｅｒｆａｃｅ）画面を表示する表示制御手段を有し、該表示制御手段は、該ＵＩを介して宛先項目の指定を案内することを特徴とする請求項１３又は１４に記載の画像読取システム。
【請求項１６】
前記表示制御手段は、階層状の宛先情報について、現在よりより深い階層、又は浅い階層を指定するためのボタンを前記ＵＩ画面上に表示することを特徴とする請求項１５に記載の画像読取システム。
【請求項１７】
前記表示制御手段は、前記探索手段により探索された宛先のリストを前記ＵＩ画面の所定エリアに表示することを特徴とする請求項１５又は１６に記載の画像読取システム。
【請求項１８】
前記探索手段は、前記宛先として少なくとも送信先の装置の名称、ディレクトリの名称を探索することを特徴とする請求項１３〜１７の何れかに記載の画像読取システム。
【請求項１９】
前記探索手段は、前記ディレクトリの名称については、前記送信先の装置から探索することを特徴とする請求項１３〜１８の何れかに記載の画像読取システム。
【請求項２０】
前記探索手段は、探索した装置がユーザにより選択された場合、該装置に対するアクセスを試みて、アクセスするのに認証を要するか否かを判断する判断手段を有することを特徴とする請求項１３〜１９の何れかに記載の画像読取システム。
【請求項２１】
前記表示制御手段は、前記判断手段により認証を要すると判断された場合、前記ＵＩ画面上にユーザ名とパスワードを入力するエリアを形成することを特徴とする請求項１５〜２０の何れかに記載の画像読取システム。
【請求項２２】
前記エリアに入力されたユーザ名とパスワードに基づいて前記探索手段により対応の装置にログインを試みた結果、ログインに失敗した場合に、前記表示制御手段は、前記ＵＩ画面上にエラーメッセージを表示することを特徴とする請求項１５〜２１の何れかに記載の画像読取システム。
【請求項２３】
画像読取装置は、画像読取機能、複写機能、印刷機能等の複数の機能を有する複合装置により構成されたことを特徴とする請求項１５〜２２の何れかに記載の画像読取システム。
【請求項２４】
画像読取装置により実行される制御プログラムであって、前記画像読取装置により読取られた画像データをネットワーク上の装置に送信して画像処理を行うべく前記送信を行うのに必要な宛先を探索する内容を有することを特徴とする制御プログラム。
【請求項２５】
請求項２４に記載の制御プログラムをコンピュータ読取可能に担持したことを特徴とする媒体。
【手続補正２】
【補正対象書類名】明細書
【補正対象項目名】０００８
【補正方法】変更
【補正の内容】
【０００８】
【課題を解決するための手段】
上記課題を解決するため、本発明は、記録媒体に記録された画像を読取る読取手段と、前記読取手段により読取られた画像データをネットワークを介して送信する送信手段と、前記送信手段により送信する際の宛先を設定する設定手段とを有する画像読取装置であって、前記設定手段は、前記画像データの宛先を前記ネットワーク上で探索する探索手段を有している。
【手続補正３】
【補正対象書類名】明細書
【補正対象項目名】０００９
【補正方法】変更
【補正の内容】
【０００９】
また、本発明は、記録媒体に記録された画像を読取る読取工程と、前記読取工程により読取られた画像データをネットワークを介して送信する送信工程と、前記送信工程により送信する際の宛先を設定する設定工程とを有する画像読取装置の制御方法であって、前記設定工程は、前記画像データの宛先を前記ネットワーク上で探索する探索工程を有している。
【手続補正書】
【提出日】平成16年12月20日(2004.12.20)
【手続補正１】
【補正対象書類名】明細書
【補正対象項目名】請求項２
【補正方法】変更
【補正の内容】
【請求項２】
請求項１記載の漏電リレーにおいて、テスト手段として、テストボタンの操作に応動して漏電検出部の入力端子の一方と増幅器との間を切り離すスイッチと、該スイッチのＯＦＦ動作状態でＺＣＴを経由して前記の入力端子に戻る疑似信号を検出し、その信号電圧が基準電圧に対応している条件でその出力を漏電信号出力回路に加える比較回路を備えたことを特徴とする漏電リレー。
【手続補正２】
【補正対象書類名】明細書
【補正対象項目名】００１０
【補正方法】変更
【補正の内容】
【００１０】
(1)テスト手段として、テストボタンの操作に応動して漏電検出部の入力端子の一方と増幅器との間を切り離すスイッチと、該スイッチのＯＦＦ動作状態でＺＣＴを経由して前記の入力端子に戻る疑似信号を検出し、その信号電圧が基準電圧に対応している条件で出力を漏電信号出力回路に加える比較回路を備える（請求項２）。
【手続補正書】
【提出日】平成16年2月13日(2004.2.13)
【手続補正１】
【補正対象書類名】明細書
【補正対象項目名】請求項２
【補正方法】変更
【補正の内容】
【請求項２】
上記スペーサ付き爪取付けブラケットを爪取付けフランジに対して着脱可能とし、爪取付けブラケットに形成した六角穴を利用して、スペーサ付き爪取付けブラケット、スペーサ及び耕耘爪を爪取付けフランジに対し固定するようにしたことを特徴とする請求項１記載のロータリ耕耘部の耕幅調節装置。
【手続補正２】
【補正対象書類名】明細書
【補正対象項目名】０００７
【補正方法】変更
【補正の内容】
【０００７】
Ｂ．上記スペーサ付き爪取付けブラケットを爪取付けフランジに対して着脱可能とし、爪取付けブラケットに形成した六角穴を利用して、スペーサ付き爪取付けブラケット、スペーサ及び耕耘爪を爪取付けフランジに対し固定するようにした。


【手続補正３】
【補正対象書類名】明細書
【補正対象項目名】０００９
【補正方法】変更
【補正の内容】
【０００９】
ｂ．スペーサ付き爪取付けブラケットを爪取付けフランジに対して着脱可能とし、爪取付けブラケットに形成した六角穴を利用して、スペーサ付き爪取付けブラケット、スペーサ及び耕耘爪を爪取付けフランジに対し固定することで、ロータリ耕耘部の耕幅の変更が、取付けボルトによる着脱操作により、簡単に、短時間で行われる。


【手続補正４】
【補正対象書類名】図面
【補正対象項目名】図５
【補正方法】変更
【補正の内容】
【図５】
2003274705.tif 000001
【手続補正書】
【提出日】平成16年9月14日(2004.9.14)
【手続補正１】
【補正対象書類名】明細書
【補正対象項目名】特許請求の範囲
【補正方法】変更
【補正の内容】
【特許請求の範囲】
【請求項１】
釣竿に設けられ、釣用リールを装着するためのリールシートであって、
釣竿本体が挿通支持されると共に釣用リールの脚部が載置される載置面が形成された筒状のリール載置部と、
リール載置部を囲繞するように当該リール載置部に取り付けられた筒状部材とを備え、
上記筒状部材は、軸方向に間隙が設けられた断面Ｃ字状に形成されていることを特徴とするリールシート。
【請求項２】
釣竿本体が挿通支持されるグリップに設けられ、釣用リールを装着するためのリールシートにおいて、
釣用リールの脚部が載置される載置面が形成されたリール載置部と、
リール載置部を囲繞するように当該リール載置部に取り付けられた筒状部材とを備え、
上記リール載置部は上記釣竿本体により構成され、
上記筒状部材は、軸方向に間隙が設けられた断面Ｃ字状に形成されていることを特徴とするリールシート。
【請求項３】
請求項１または２記載のリールシートにおいて、
上記筒状部材の間隙の幅寸法は、釣用リールの脚部を間隙に嵌め込むことができる寸法に設定されており、
当該筒状部材は、上記間隙が上記載置面と対向するように配置されていることを特徴とするリールシート。
【請求項４】
釣竿本体と、
釣竿本体が挿通支持されるグリップと、
グリップに設けられ、釣用リールを装着固定するための上記請求項１ないし３のいずれかに記載のリールシートとを備えた釣竿。
【手続補正２】
【補正対象書類名】明細書
【補正対象項目名】００１１
【補正方法】変更
【補正の内容】
【００１１】
(2) そこで、本願に係るリールシートは、釣竿に設けられ、釣用リールを装着するためのリールシートであって、釣竿本体が挿通支持されると共に釣用リールの脚部が載置される載置面が形成された筒状のリール載置部と、リール載置部を囲繞するように当該リール載置部に取り付けられた筒状部材とを備え、上記筒状部材は、軸方向に間隙が設けられた断面Ｃ字状に形成されていることを特徴とするものである。
【手続補正３】
【補正対象書類名】明細書
【補正対象項目名】００１４
【補正方法】変更
【補正の内容】
【００１４】
(3) また、本願に係るリールシートは、釣竿本体が挿通支持されるグリップに設けられ、釣用リールを装着するためのリールシートにおいて、釣用リールの脚部が載置される載置面が形成されたリール載置部と、リール載置部を囲繞するように当該リール載置部に取り付けられた筒状部材とを備え、上記リール載置部は上記釣竿本体により構成され、上記筒状部材は、軸方向に間隙が設けられた断面Ｃ字状に形成されていることを特徴とするものである。
【手続補正書】
【提出日】平成17年3月8日(2005.3.8)
【手続補正１】
【補正対象書類名】明細書
【補正対象項目名】発明の名称
【補正方法】変更
【補正の内容】
【発明の名称】撮像装置
【手続補正２】
【補正対象書類名】明細書
【補正対象項目名】特許請求の範囲
【補正方法】変更
【補正の内容】
【特許請求の範囲】
【請求項１】
複数の撮像ブロックを並べてなる撮像部と、
前記複数の撮像ブロックの各々の撮像信号から、指定された時間遅延と信号選択期間とをもとに、その部分の撮像信号のみを選択的に加減算するための加減算器と、
前記加減算器の出力に応じてフラグ信号を生成するためのフラグ判断部とを備え、
前記フラグ判断部の出力を用いて、前記フラグ信号で指定した部分のみの撮像画像を出力することを特徴とする撮像装置。
【請求項２】
請求項１記載の撮像装置において、
被写体を前記複数の撮像ブロックの各々に結像させるように、複数のピンホールを有するピンホール板を更に備えたことを特徴とする撮像装置。
【請求項３】
請求項１記載の撮像装置において、
被写体と前記撮像装置との間の指定された距離に応じて前記時間遅延及び信号選択期間を指定するための手段を更に備えたことを特徴とする撮像装置。
【請求項４】
請求項１記載の撮像装置において、
前記複数の撮像ブロックの各々の撮像信号から、指定された時間遅延と信号選択期間とをもとに、その部分の撮像信号が重なるように各撮像ブロックからの撮像信号の平均値を計算するための平均値計算部を更に備え、
前記平均値計算部の出力を撮像出力信号とすることによって、前記撮像装置から所定の距離範囲内に存在する被写体のみを鮮明に撮像することを特徴とする撮像装置。
【手続補正書】
【提出日】平成16年5月10日(2004.5.10)
【手続補正１】
【補正対象書類名】明細書
【補正対象項目名】００３８
【補正方法】変更
【補正の内容】
【００３８】
ドライブ装置８１は、カメラ５０を用いて特殊撮影モードで撮影した特殊撮影画像や通常撮影モードで撮影した通常撮影画像を記録保存した記録媒体Ｍ’から上記特殊撮影画像や上記通常の撮影画像を読み出す装置である。
多段焦点撮影画像である特殊撮影画像は、識別情報の他に、上記結像距離の情報および上記測距データに対応して定まる目標結像距離を有する付加情報とともに呼び出され、処理システム８０において、上記識別情報に基づいて、画像処理装置８８の特殊撮影画像演算部８２に、通常撮影画像は主要被写体領域抽出部８４に供給される。
なお、カメラ５０で記録媒体Ｍに記録保存する特殊撮影画像は、撮影画像間で各画素毎に差分符号化を行って記録保存することがメモリ容量の点から好ましく、また、処理システム８０に供給される場合も、この差分符号化された撮影画像が供給され復号化されることが好ましい。
【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】
一分子蛍光分析により、核酸とｎ種類（ｎは２以上の整数を表す）の核酸結合タンパク質との結合を検出する方法であって、核酸と第一の核酸結合タンパク質との結合を検出する工程と、前記工程において核酸と第一から第（Ｘ−１）まで（Ｘ−１）個の核酸結合タンパク質との結合が検出された場合、得られた核酸タンパク質複合体と第Ｘの核酸結合タンパク質との結合を検出する工程を、Ｘ＝２からＸ＝ｎまで順次（ｎ−１）回繰り返す工程とを具備することを特徴とする方法。
【請求項２】
請求項１に記載の方法であって、核酸と１種類以上の核酸結合タンパク質との結合を、核酸結合タンパク質の何れか一に対する抗体を用いて確認する工程を更に具備することを特徴とする方法。
【請求項３】
請求項１に記載の方法であって、前記核酸に、蛍光物質、発光物質、酵素発光物質、放射活性物質を結合させることにより、前記核酸結合タンパク質との結合を光シグナルで検出することを特徴とする方法。
【手続補正書】
【提出日】平成16年10月1日(2004.10.1)
【手続補正１】
【補正対象書類名】明細書
【補正対象項目名】特許請求の範囲
【補正方法】変更
【補正の内容】
【特許請求の範囲】
【請求項１】
使用者がメッセージを入力する音声入力手段と、
前記音声入力手段を介さずに入力されたメッセージと、前記音声入力手段を介して入力されたメッセージを含む複数の応答メッセージを記憶する記憶手段と、
着信前に予め使用者が前記記憶手段に記憶された複数の応答メッセージの中の１つを選択する応答メッセージ選択手段と、
鳴動または振動により使用者に着信を報知する複数の報知手段と、
着信前に予め使用者が前記複数の報知手段の中の１つを設定する報知設定手段と、
着信があったとき、前記報知設定手段により設定された報知手段により着信報知を行った後に、前記応答メッセージ選択手段により選択された応答メッセージを送出する送出手段と、を備えていることを特徴とする携帯用の電話装置。
【請求項２】
前記送出手段により前記選択された応答メッセージを送出した後に、通信相手のメッセージを録音する録音手段を備えていることを特徴とする請求項１に記載の携帯用の電話装置。
【請求項３】
前記録音手段により前記通信相手のメッセージを録音中に使用者がキー操作を行った場合、前記メッセージの録音を中止し、通話状態にすることを特徴とする請求項２に記載の携帯用の電話装置。
【請求項４】
前記送出手段により前記選択された応答メッセージを送出中に使用者がキー操作を行った場合、前記応答メッセージの送出を中止し、通話状態にすることを特徴とする請求項１に記載の携帯用の電話装置。
【請求項５】
携帯用の電話装置の制御方法であって、
使用者が電話装置のマイクを介してメッセージを入力し、
前記マイクを介して入力されたメッセージを、前記マイクを介さずに入力されたメッセージとともに記憶し、
着信前に予め使用者が記憶されたメッセージの中の１つを選択し、
着信前に予め使用者が、鳴動または振動により使用者に着信を報知する複数の報知方法の中の１つを設定し、
着信があったとき、設定された報知方法により着信報知を行った後に、選択されたメッセージを送出することを特徴とする携帯用の電話装置の制御方法。
【請求項６】
着信に応答するための複数のメッセージを記憶する記憶手段と、複数のメッセージから必要とするメッセージを選択する選択手段と、メッセージを発信相手に送出する送出手段と、
発信相手からの着信に対して直ちに通話できない場合に、前記記憶手段に記憶され前記選択手段で選択されたメッセージを、前記発信相手に送出するように、前記送出手段を動作させる着信応答手段を備えた携帯用の電話装置。
【手続補正２】
【補正対象書類名】明細書
【補正対象項目名】０００９
【補正方法】変更
【補正の内容】
【０００９】
【課題を解決するための手段】上記の目的を達成するために本発明において、携帯用の電話装置は、使用者がメッセージを入力する音声入力手段と、前記音声入力手段を介さずに入力されたメッセージと、前記音声入力手段を介して入力されたメッセージを含む複数の応答メッセージを記憶する記憶手段と、着信前に予め使用者が前記記憶手段に記憶された複数の応答メッセージの中の１つを選択する応答メッセージ選択手段と、鳴動または振動により使用者に着信を報知する複数の報知手段と、着信前に予め使用者が前記複数の報知手段の中の１つを設定する報知設定手段と、着信があったとき、前記報知設定手段により設定された報知手段により着信報知を行った後に、前記応答メッセージ選択手段により選択された応答メッセージを送出する送出手段を備える。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正書】
【提出日】平成16年11月22日(2004.11.22)
【手続補正１】
【補正対象書類名】明細書
【補正対象項目名】特許請求の範囲
【補正方法】変更
【補正の内容】
【特許請求の範囲】
【請求項１】
機器と前記機器のリモコンとの間に挿入する中継装置であって、前記機器から受信するメンテナンスのモニタ信号を、伝送距離を延長する信号に変換し前記リモコンに送信することで、前記メンテナンス信号を機器の遠隔操作に用いる中継装置。
【請求項２】
中継装置は、ＵＡＲＴシリアル通信信号または不平衡シリアル通信信号を、平衡シリアル通信信号、または特定小電力無線通信信号、または電力線搬送通信信号、またはブルートゥース（登録商標）通信信号、またはイーサネット（登録商標）通信信号、またはエコーネット（登録商標）通信信号、のいずれかに変換する請求項１記載の中継装置。
【請求項３】
中継装置は、双方向に通信信号を変換する請求項１から２のいずれか１項に記載の中継装置。
【請求項４】
機器と前記機器のリモコンからなるリモコンシステムに請求項１〜３のいずれか１項記載の中継装置を備えたリモコンシステム。
【請求項５】
メンテナンス信号は、機器の保守情報と動作状態情報と設定情報と故障情報とこれらの履歴情報と前記機器への動作指令と設定指令と保守情報問い合わせと動作情報問い合わせと故障情報問い合わせとこれらの履歴情報問い合わせの少なくともひとつを含む請求項１から３のいずれか１項に記載の中継装置。
【請求項６】
請求項１から５のいずれかに記載の中継装置またはリモコンシステムが有する機能の一部または全部をコンピュータにより実行するためのプログラム。
【請求項７】
請求項６に記載のプログラムを記録したコンピュータ読みとり可能な記録媒体。
【手続補正２】
【補正対象書類名】明細書
【補正対象項目名】００１０
【補正方法】変更
【補正の内容】
【００１０】
また、請求項２に記載した発明は、中継装置でＵＡＲＴシリアル通信信号または不平衡シリアル通信信号を特定小電力無線通信信号に変換することにより、メンテナンス信号を機器の遠隔操作に用いる中継装置を実現することができる。
【手続補正３】
【補正対象書類名】明細書
【補正対象項目名】００１１
【補正方法】変更
【補正の内容】
【００１１】
また、請求項２に記載した発明は、中継装置でＵＡＲＴシリアル通信信号または不平衡シリアル通信信号を電力線搬送無線通信信号に変換することにより、メンテナンス信号を機器の遠隔操作に用いる中継装置を実現することができる。
【手続補正４】
【補正対象書類名】明細書
【補正対象項目名】００１２
【補正方法】変更
【補正の内容】
【００１２】
また、請求項２に記載した発明は、中継装置でＵＡＲＴシリアル通信信号または不平衡シリアル通信信号をブルートゥース（登録商標）通信信号に変換することにより、メンテナンス信号を機器の遠隔操作に用いる中継装置を実現することができる。
【手続補正５】
【補正対象書類名】明細書
【補正対象項目名】００１３
【補正方法】変更
【補正の内容】
【００１３】
また、請求項２に記載した発明は、中継装置でＵＡＲＴシリアル通信信号または不平衡シリアル通信信号をイーサネット（登録商標）通信信号に変換することにより、メンテナンス信号を機器の遠隔操作に用いる中継装置を実現することができる。
【手続補正６】
【補正対象書類名】明細書
【補正対象項目名】００１４
【補正方法】変更
【補正の内容】
【００１４】
また、請求項２に記載した発明は、中継装置でＵＡＲＴシリアル通信信号または不平衡シリアル通信信号をエコーネット（登録商標）通信信号に変換することにより、メンテナンス信号を機器の遠隔操作に用いる中継装置を実現することができる。
【手続補正７】
【補正対象書類名】明細書
【補正対象項目名】００１５
【補正方法】変更
【補正の内容】
【００１５】
請求項３に記載した発明は、中継装置で双方向に通信信号を変換することにより、メンテナンス信号を機器の遠隔操作に用いる中継装置を実現することができる。
【手続補正８】
【補正対象書類名】明細書
【補正対象項目名】００１６
【補正方法】変更
【補正の内容】
【００１６】
請求項４に記載した発明は、前記機器と、前記機器のリモコンと、機器と前記機器のリモコンとの間に挿入する中継装置で構成し、前記中継装置は前記機器から受信するメンテナンスのモニタ信号を、伝送距離を延長する信号に変換し前記リモコンに送信する中継装置とすることにより、メンテナンス信号を機器の遠隔操作に用いるリモコンシステムを実現することができる。
【手続補正９】
【補正対象書類名】明細書
【補正対象項目名】００１７
【補正方法】変更
【補正の内容】
【００１７】
請求項５に記載した発明は、メンテナンス信号を機器の保守情報と動作状態情報と設定情報と故障情報とこれらの履歴情報と前記機器への動作指令と設定指令と保守情報問い合わせと動作情報問い合わせと故障情報問い合わせとこれらの履歴情報問い合わせの少なくともひとつを含むことにより、メンテナンス信号を機器の遠隔操作に用いる中継装置を実現することができる。
【手続補正１０】
【補正対象書類名】明細書
【補正対象項目名】００１８
【補正方法】変更
【補正の内容】
【００１８】
請求項６に記載した発明は、中継装置またはリモコンシステムが有する機能の少なくとも一部をコンピュータにより実行するためのプログラムとしている。
【手続補正１１】
【補正対象書類名】明細書
【補正対象項目名】００１９
【補正方法】変更
【補正の内容】
【００１９】
請求項７に記載した発明は、プログラムおよびデータの少なくともいずれか一方を含む記録媒体としている。
【手続補正１２】
【補正対象書類名】明細書
【補正対象項目名】００２０
【補正方法】変更
【補正の内容】
【００２０】
そして、プログラムであるので家庭にあるコンピュータ等などを用いて本発明の中継装置またはリモコンシステムの一部あるいは全てを容易に実現することができる。また記録媒体に記録したり通信回線を用いてプログラムを配信したりすることでプログラムの配布が簡単にできる。
【手続補正書】
【提出日】平成17年2月16日(2005.2.16)
【手続補正１】
【補正対象書類名】明細書
【補正対象項目名】特許請求の範囲
【補正方法】変更
【補正の内容】
【特許請求の範囲】
【請求項１】
ブレンド・プログラムを実行するプログラマブルブレンダーであって、
成分をブレンドするブレンド・アセンブリと、
可変ブレンド・プログラム動作特性を持つ複数の動作セグメントを有する第１ブレンド・プログラムを含むメモリと、
変更される第１動作特性と変更の大きさとをユーザが選択するための入力手段と、
前記メモリからの前記ブレンド・プログラムと前記入力手段からの前記ユーザの選択情報とを受け取り、前記ユーザの選択情報に従って前記第１動作特性を変更し、かつ前記変更されたブレンド・プログラムに従って前記ブレンド・アセンブリの動作を制御するプロセッサと、を備えているプログラマブルブレンダー。
【請求項２】
ブレンド・プログラムを実行するブレンダーであって、
成分をブレンドするブレンド・アセンブリと、
ブレンダー内に常駐し、ブレンド・プログラムを記憶する第１メモリと、
ブレンダーと機能的に結合して、前記ブレンド・プログラムを記憶する第２メモリと、
ブレンダー内に常駐し、前記ブレンド・プログラムを受け取り、かつ前記ブレンド・プログラムを前記第１メモリから前記第２メモリに、および前記第２メモリから前記第１メモリに選択的に複写するプロセッサと、を備えているブレンダー。
【請求項３】
ブレンド・プログラムを実行するプログラマブルブレンダーであって、
成分をブレンドするブレンド・アセンブリと、
ブレンダー内に常駐し、ブレンド・プログラムを記憶する第１メモリと、
ブレンダーと機能的に結合して、前記ブレンド・プログラムを記憶する第２メモリであり、前記第１メモリと前記第２メモリとの１つが、可変ブレンド・プログラム動作特性を持つ複数の動作セグメントを有する第１ブレンド・プログラムを含む、第２メモリと、
変更される第１動作特性および変更の大きさとをユーザが選択するための入力手段と、
ブレンダー内に常駐し、前記第１メモリと前記第２メモリとの１つから前記第１ブレンド・プログラムを受け取り、前記入力手段から前記ユーザ選択を受け取り、前記ユーザ選択に従って前記第１動作特性を変更し、前記ブレンド・プログラムを前記第１メモリから前記第２メモリに、および前記第２メモリから前記第１メモリに選択的に複写し、前記変更されたブレンド・プログラムに従って前記ブレンド・アセンブリの動作を制御するプロセッサと、を備えているプログラマブルブレンダー。
【手続補正書】
【提出日】平成17年4月7日(2005.4.7)
【手続補正１】
【補正対象書類名】明細書
【補正対象項目名】特許請求の範囲
【補正方法】変更
【補正の内容】
【特許請求の範囲】
【請求項１】
ポリエステルフィルムの少なくとも片面に、ガラス転移点の異なる２種類のポリエステル樹脂からなる積層膜が形成され、該２種類のポリエステルが、ガラス転移点が６０〜１００℃であるポリエステル樹脂（Ａ）と、ガラス転移点が０〜６０℃であるポリエステル樹脂（Ｂ）からなり、該ポリエステル樹脂（Ｂ）が、酸成分としてイソフタル酸６５〜９５モル％、または、ジオール成分としてジエチレングリコール５０〜９５モル％を少なくとも含有し、さらにはポリエステル樹脂（Ａ）および（Ｂ）における全ジカルボン酸成分中のスルホン酸金属塩基含有ジカルボン酸成分が以下の関係を満たすことを特徴とするインクジェット印刷用ポリエステルフィルム。
Ｓａ＞Ｓｂ≧５モル％
（Ｓａ：ポリエステル樹脂（Ａ）における全ジカルボン酸成分中のスルホン酸金属塩基含有ジカルボン酸成分量（モル％）、Ｓｂ：ポリエステル樹脂（Ｂ）における全ジカルボン酸成分中のスルホン酸金属塩基含有ジカルボン酸成分量（モル％））
【請求項２】
該積層膜において、１／２＜ｒ／ｄ≦４（ｒ：粒子の平均粒径、ｄ：積層膜の平均厚み）を満足する粒子を、ガラス転移点の異なる２種類のポリエステル樹脂の合計に対し、固形分比で０．０５〜５重量％含まれてなることを特徴とする請求項１に記載のインクジェット印刷用ポリエステルフィルム。
【請求項３】
ポリエステル樹脂（Ｂ）が、酸成分としてイソフタル酸６５〜９５モル％、および、ジオール成分としてジエチレングリコール５０〜９５モル％を少なくとも含有するポリエステル樹脂であることを特徴とする請求項１または２のいずれかに記載のインクジェット印刷用ポリエステルフィルム。
【手続補正２】
【補正対象書類名】明細書
【補正対象項目名】０００９
【補正方法】変更
【補正の内容】
【０００９】
【課題を解決するための手段】
かかる目的を達成する本発明のインクジェット印刷用ポリエステルフィルムは、ポリエステルフィルムの少なくとも片面に、ガラス転移点の異なる２種類のポリエステル樹脂からなる積層膜が形成され、該２種類のポリエステルが、ガラス転移点が６０〜１００℃であるポリエステル樹脂（Ａ）と、ガラス転移点が０〜６０℃であるポリエステル樹脂（Ｂ）からなり、該ポリエステル樹脂（Ｂ）が、酸成分としてイソフタル酸６５〜９５モル％、または、ジオール成分としてジエチレングリコール５０〜９５モル％を少なくとも含有し、さらにはポリエステル樹脂（Ａ）および（Ｂ）における全ジカルボン酸成分中のスルホン酸金属塩基含有ジカルボン酸成分が以下の関係を満たすポリエステル樹脂であることを特徴とする。
Ｓａ＞Ｓｂ≧５モル％
（Ｓａ：ポリエステル樹脂（Ａ）における全ジカルボン酸成分中のスルホン酸金属塩基含有ジカルボン酸成分量（モル％）、Ｓｂ：ポリエステル樹脂（Ｂ）における全ジカルボン酸成分中のスルホン酸金属塩基含有ジカルボン酸成分量（モル％））
【手続補正３】
【補正対象書類名】明細書
【補正対象項目名】００２４
【補正方法】変更
【補正の内容】
【００２４】
本発明における積層膜を形成するガラス転移点の異なる２種類のポリエステル樹脂（Ａ）および（Ｂ）には、スルホン酸金属塩基含有ジカルボン酸成分が含有され、その含有量は下記の関係を満たすことが必要である。
Ｓａ＞Ｓｂ≧５モル％（Ｓａ：ポリエステル樹脂（Ａ）における全ジカルボン酸成分中のスルホン酸金属塩基含有ジカルボン酸成分量（モル％）、Ｓｂ：ポリエステル樹脂（Ｂ）における全ジカルボン酸成分中のスルホン酸金属塩基含有ジカルボン酸成分量（モル％））。
【手続補正４】
【補正対象書類名】明細書
【補正対象項目名】００５９
【補正方法】変更
【補正の内容】
【００５９】
（比較例６）
実施例１の積層膜形成塗液で、Ａ２／Ｂ２＝４０／６０（固形分重量比）とした以外は、実施例１と同様にしてインクジェット印刷用ポリエステルフィルムを得た。結果を表１に示す。
【手続補正５】
【補正対象書類名】明細書
【補正対象項目名】００６０
【補正方法】変更
【補正の内容】
【００６０】
（実施例４）
平均粒径０．２μｍの二酸化チタンを１４重量％、および平均粒径１μｍのシリカを０．５重量％含有するＰＥＴペレット（極限粘度０．６３ｄｌ／ｇ）を充分に真空乾燥した後、押し出し機に供給し２８５℃で溶融し、Ｔ字型口金よりシート状に押し出し、静電印加キャスト法を用いて表面温度２５℃の鏡面キャスティングドラムに巻き付けて冷却固化せしめた。この未延伸フィルムを８５℃に加熱して長手方向に３．３倍延伸し、一軸延伸フィルムとした。このフィルムに空気中でコロナ放電処理を施し、その処理面に実施例１と同様の積層膜形成塗液を塗布した。塗布された一軸延伸フィルムをクリップで把持しながら予熱ゾーンに導き、９５℃で乾燥後、引き続き連続的に１１０℃の加熱ゾーンで幅方向に３．３倍延伸し、更に２１０℃の加熱ゾーンで熱処理を施し、結晶配向の完了した積層膜を設けた白色インクジェット印刷用ポリエステルフィルムを得た。このとき、基材白色ＰＥＴフィルムの厚みが５０μｍ、光学濃度が１．５、白色度が８５％、積層膜の厚みが０．０８μｍであった。
【手続補正６】
【補正対象書類名】明細書
【補正対象項目名】００６７
【補正方法】変更
【補正の内容】
【００６７】
（実施例５）
実施例１の積層膜形成塗液で、Ａ３／Ｂ５＝５０／５０（固形分重量比）とした以外は、実施例１と同様にして積層ＰＥＴフィルムを得た。結果を表１に示す。
【手続補正７】
【補正対象書類名】明細書
【補正対象項目名】００６８
【補正方法】変更
【補正の内容】
【００６８】
（実施例６）
実施例１の積層膜形成塗液で、Ａ３／Ｂ６＝５０／５０（固形分重量比）とした以外は、実施例１と同様にして積層ＰＥＴフィルムを得た。結果を表１に示す。
【００６９】Ａ１：テレフタル酸（８８モル％）、５−ナトリウムスルホイソフタル酸（１２モル％）、エチレングリコール（９５モル％）、ジエチレングリコール（５モル％）から構成されるポリエステル樹脂（Ｔｇ８０℃）の水分散体。
【手続補正８】
【補正対象書類名】明細書
【補正対象項目名】００７８
【補正方法】変更
【補正の内容】
【００７８】
【表１】
2003019858.tif 000001
（実施例７）実施例１の積層膜形成塗液に、コロイダルシリカ（粒子径０．３μｍ）を０．３重量％添加した以外は、実施例１と同様にしてインクジェット印刷用ポリエステルフィルムを得た。結果を表２に示す。
【手続補正書】
【提出日】平成16年2月17日(2004.2.17)
【手続補正１】
【補正対象書類名】明細書
【補正対象項目名】特許請求の範囲
【補正方法】変更
【補正の内容】
【特許請求の範囲】
【請求項１】
矩形開口を有する外枠と、この矩形開口内にて開閉可能に支持される本体枠と、同本体枠に取り付けられて遊技領域を形成する遊技装置と、同本体枠の前面側にて開閉可能に取り付けられて遊技領域を前面側から覆う前面枠と、同本体枠の背面側に取り付けられて当該遊技機に遊技球を供給する供給路を形成するセット板と、同本体枠の背面側に取り付けられて当該遊技機を制御する制御基板とを備える遊技機であって、
上記本体枠は、板材の両面側に夫々設けた流路によって、上記供給路から供給される遊技球を貯留皿に流下させる流路と上記遊技領域を流下して排出された遊技球を同遊技機外部に排出させる流路とを形成する流路部材を具備することを特徴とする遊技機。
【手続補正２】
【補正対象書類名】明細書
【補正対象項目名】０００５
【補正方法】変更
【補正の内容】
【０００５】
本発明にかかる遊技機は、遊技球を用いて遊技を行うものであれば良く、上記遊技領域に向けて遊技球を発射させて遊技を行うパチンコ遊技機であっても良いし、遊技球の投入により図柄を変化させて遊技を行ういわゆるパチロットであっても良い。
この意味で、当該遊技機をパチンコ遊技機に適用した場合、上記流路には、上記供給路から供給される遊技球に加え、上記遊技領域を流下して排出された遊技球を流下させるものであっても良い。
また、当該遊技機は、上記遊技球を貯留するための貯留皿を備えたものであっても良いし、貯留皿を設けず、上記流路を流下した遊技球を当該遊技機が設置される遊技機島に排出するものであっても良い。
そこで、上記流路部材は、板材の両面側に夫々設けた流路によって、上記供給路から供給される遊技球を貯留皿に流下させる流路と上記遊技領域を流下して排出された遊技球を同遊技機外部に排出させる流路とを形成するものであっても良い。
当該構成によれば、板材の前面側と背面側とに流路を形成するので、上記本体枠におけるスペースを有効に利用することができる。
特に、大型の遊技領域を有するパチンコ遊技機（Ｌ枠遊技機）においては、同遊技領域に配置される液晶ディスプレイが大型化したり、役物の数が増加するなどの変化があるため、これらを制御するための制御基板の数が増加する傾向にある。従って、上記本体枠の背面側に確保される空きスペースを利用することで、より多くの制御基板を配置することができる点で有利となる。
なお、上記遊技装置は、上記本体枠に取り付けられて遊技領域を形成するものであれば良い。ここにいう遊技領域とは、入賞孔や役物などが配置されて遊技球を流下させる領域や、抽選時などに回転して絵柄を変化させる回転ドラムが配置された領域を広く含むものである。この意味で、同遊技装置は、パチンコ遊技機における遊技板や、パチロットにおける回転ドラムを含むものである。むろん、例えば、パチロットにおいて、回転ドラムの代わりに液晶ディスプレイなどを代用して絵柄を変化させる場合には、このような構成も含むことは言うまでもない。
【手続補正書】
【提出日】平成17年6月6日(2005.6.6)
【手続補正１】
【補正対象書類名】明細書
【補正対象項目名】特許請求の範囲
【補正方法】変更
【補正の内容】
【特許請求の範囲】
【請求項１】
本体と遠位端とを有するカテーテルを用意するステップであって、前記カテーテルは、近位端及び遠位端を有し長手方向軸線を有するハウジングと、
前記ハウジングの前記近位端に作動可能に接続された第１の組の固定部材と、
前記ハウジングの前記遠位端に作動可能に接続された第２の組の固定部材と、を有する移植可能な医療装置を有し、
前記第１の組の固定部材及び前記第２の組の固定部材は、閉鎖位置と展開位置との間で可動であり、前記閉鎖位置は、前記第１の組の固定部材及び前記第２の組の固定部材が前記ハウジングの前記長手方向の前記軸線にほぼ平行に配置される位置であり、前記展開位置は、前記第１の組の固定部材及び前記第２の組の固定部材が前記ハウジングの前記長手方向の前記軸線にほぼ直角に配置される位置であり、前記各第１の組の固定部材及び前記第２の組の固定部材は、リング部材を有し、前記各リング部材は、組織係合面を有する、カテーテルを用意するステップと、
前記カテーテルの前記遠位端を組織に挿入するステップと、
前記医療装置の少なくとも一部を前記カテーテルの前記遠位端から移動させ、前記第１の組の固定部材を前記閉鎖位置から前記展開位置に移動させるステップと、
前記組織の一方の側を前記固定部材の前記第１の組の各リング部材の前記組織係合面と係合させるステップと、
前記カテーテルの前記遠位端から前記医療装置を完全に移動させ、前記第２の組の固定部材を前記閉鎖位置から前記展開位置に移動させるステップと、
前記組織の他方の側を前記固定部材の前記第２の組の各リング部材の前記組織係合面と係合させるステップと、を有する、組織間に医療装置を移植する方法。
【請求項２】
前記第１の組の固定部材は、前記閉鎖位置から前記展開位置に弾性的に移動される請求項１に記載の方法。
【請求項３】
前記第２の組の固定部材は、前記閉鎖位置から前記展開位置に弾性的に移動される請求項２に記載の方法。
【請求項４】
前記第１の組の固定部材と前記第２の組の固定部材を前記カテーテルの前記長手方向軸線に対してほぼ０°乃至３０°の間の範囲で閉鎖位置に維持するステップを有する請求項３に記載の方法。
【請求項５】
前記第１の組の固定部材と前記第２の組の固定部材を前記カテーテルの前記長手方向軸線に対してほぼ４０°乃至９０°の間の範囲で展開位置に展開するステップを有する請求項４に記載の方法。
【請求項６】
前記医療装置を前記カテーテルの前記遠位端から展開機構で移動するステップを有する請求項５に記載の方法。
【請求項７】
前記医療装置を心臓組織内で展開するステップを有する請求項６に記載の方法。
【請求項８】
前記医療装置を隔壁内で展開するステップを有する請求項７に記載の方法。
【手続補正書】
【提出日】平成16年9月27日(2004.9.27)
【手続補正１】
【補正対象書類名】明細書
【補正対象項目名】特許請求の範囲
【補正方法】変更
【補正の内容】
【特許請求の範囲】
【請求項１】
シンボルが表示されるべき表示領域を３行Ｘ列（Ｘは５以上の整数）有するディスプレイと、
所定のプログラムを実行すると共に、前記ディスプレイの表示内容を制御するコントローラと、を備え、
前記コントローラは、前記プログラムに従って、
特定のボーナスシンボルを含んだ複数種の前記シンボルのなかから前記各表示領域に表示すべき前記シンボルを決定し、
前記各表示領域に表示されたシンボルの配列に基づいて入賞の判定を行い、
前記３行のうちの中央行における両側列を除いた（Ｘ−２）個の前記表示領域それぞれに前記ボーナスシンボルが表示された場合に、前記ディスプレイ上でボーナスゲームを開始させ、
前記ボーナスゲームにおいては、前記（Ｘ−２）個のボーナスシンボルの周囲の前記表示領域上を所定のキャラクタを移動させ、その後、前記キャラクタに前記複数の表示領域のうちのいずれかの上で所定の動作をさせ、
前記キャラクタが前記所定の動作をした前記表示領域に表示された前記シンボルの種類に基づいて、プレイヤに与えるボーナスの内容を決定することを特徴とする遊技装置。
【請求項２】
前記シンボルの種類と前記ボーナスの内容との対応関係を示すテーブルを格納した格納手段を備え、
前記コントローラは、前記格納手段の前記テーブルに基づいて、前記プレイヤに与えるボーナスの内容を決定することを特徴とする請求項１記載の遊技装置。
【請求項３】
スロットマシンであり、前記コントローラは、乱数値に従って前記複数種のシンボルのなかから前記各表示領域に表示すべきシンボルを決定することを特徴とする請求項１記載の遊技装置。
【請求項４】
スロットマシンであり、前記コントローラは、３行Ｘ列のリールの画像を前記ディスプレイに表示させることを特徴とする請求項１記載の遊技装置。
【請求項５】
前記コントローラは、前記ボーナスゲームにおいて、前記プレイヤに前記ボーナスを与えた後、前記キャラクタを前記（Ｘ−２）個のボーナスシンボルの周囲の前記表示領域上を再び移動させ、その後、前記キャラクタに前記複数の表示領域のうちのいずれかの上で前記所定の動作をさせることを特徴とする請求項１記載の遊技装置。
【請求項６】
前記コントローラは、前記キャラクタが前記所定の動作をした前記表示領域に、前記キャラクタが前記動作をしたことを示すマークを表示させると共に、前記マークが表示された表示領域で前記キャラクタが前記所定の動作をした場合に、前記ボーナスゲームを終了させることを特徴とする請求項５記載の遊技装置。
【請求項７】
前記プレイヤに与えるボーナスは、コインであることを特徴とする請求項１記載の遊技装置。
【請求項８】
前記プレイヤに与えるボーナスは、他のボーナスゲームであることを特徴とする請求項１記載の遊技装置。
【請求項９】
第２のディスプレイを更に備え、前記他のボーナスゲームの画像は、前記第２のディスプレイに表示されることを特徴とする請求項８記載の遊技装置。
【請求項１０】
シンボルが表示されるべき表示領域を有するディスプレイと、前記ディスプレイの表示内容を制御するコントローラと、を備えた遊技装置の制御方法において、
前記ディスプレイに、前記表示領域を３行Ｘ列（Ｘは５以上の整数）表示するステップと、
特定のボーナスシンボルを含んだ複数種の前記シンボルのなかから前記各表示領域に表示すべき前記シンボルを決定するステップと、
前記各表示領域に表示されたシンボルの配列に基づいて入賞の判定を行うステップと、
前記３行のうちの中央行における両側列を除いた（Ｘ−２）個の前記表示領域それぞれに前記ボーナスシンボルが表示された場合に、前記ディスプレイ上でボーナスゲームを開始させるステップと、
前記ボーナスゲームにおいて、前記（Ｘ−２）個のボーナスシンボルの周囲の前記表示領域上を所定のキャラクタを移動させ、その後、前記キャラクタに前記複数の表示領域のうちのいずれかの上で所定の動作をさせるステップと、
前記キャラクタが前記所定の動作をした前記表示領域に表示された前記シンボルの種類に基づいて、プレイヤに与えるボーナスの内容を決定するステップと、
を含むことを特徴とする遊技装置の制御方法。
【請求項１１】
前記遊技装置は、前記シンボルの種類と前記ボーナスの内容との対応関係を示すテーブルを格納した格納手段を備え、
前記プレイヤに与えるボーナスの内容を決定するステップにおいて、前記格納手段の前記テーブルに基づいて、前記ボーナスの内容を決定することを特徴とする請求項１０記載の遊技装置の制御方法。
【請求項１２】
ディスプレイにシンボルが表示されるべき表示領域を３行Ｘ列（Ｘは５以上の整数）表示するステップと、
特定のボーナスシンボルを含んだ複数種の前記シンボルのなかから前記各表示領域に表示すべき前記シンボルを決定するステップと、
前記各表示領域に表示されたシンボルの配列に基づいて入賞の判定を行うステップと、
前記３行のうちの中央行における両側列を除いた（Ｘ−２）個の前記表示領域それぞれに前記ボーナスシンボルが表示された場合に、前記ディスプレイ上でボーナスゲームを開始させるステップと、
前記ボーナスゲームにおいて、前記（Ｘ−２）個のボーナスシンボルの周囲の前記表示領域上を所定のキャラクタを移動させ、その後、前記キャラクタに前記複数の表示領域のうちのいずれかの上で所定の動作をさせるステップと、
前記キャラクタが前記所定の動作をした前記表示領域に表示された前記シンボルの種類に基づいて、プレイヤに与えるボーナスの内容を決定するステップと、
をコンピュータに実行させるプログラム。
【請求項１３】
請求項１２記載のプログラムが記録されたことを特徴とするコンピュータ読取り可能な記録媒体。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００３１
【補正方法】削除
【補正の内容】
【手続補正５】
【補正対象書類名】明細書
【補正対象項目名】００３２
【補正方法】削除
【補正の内容】
【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
放電電極の対向電極に用いられる樹脂電極であって、ポリオレフィン又はポリエステル樹脂に、窒素比表面積が５００ｍ２／ｇ以上であり、ＤＢＰ吸油量が２００ｃｍ３／１００ｇ以上である導電性カーボンブラックを配合した導電性樹脂からなり、体積抵抗率が１０７Ωｃｍのオーダー以下であり、且つ１５℃で２７％ＲＨの条件で放電させたときの放電特性（樹脂電極からなる対向電極での印加電圧／金属電極からなる対向電極での印加電圧）が１．００±０．０５であることを特徴とする樹脂電極。
【請求項２】
請求項１において、前記導電性カーボンブラックが、基材となる樹脂に対して１８重量％〜３０重量％配合されていることを特徴とする樹脂電極。
【請求項３】
請求項１又は２において、プラスに接続された放電電極の対向電極として用いられることを特徴とする樹脂電極。
【請求項４】
請求項１〜３の何れかの樹脂電極をアイオナイザ部の対向電極として用いたことを特徴とする静電式集塵装置。
【請求項５】
静電式集塵装置のコレクタ部の集塵電極に用いられる樹脂電極であって、ポリオレフィン又はポリエステル樹脂に、窒素比表面積が５００ｍ２／ｇ以上であり、ＤＢＰ吸油量が２００ｃｍ３／１００ｇ以上である導電性カーボンブラックを配合した導電性樹脂からなり、体積抵抗率が１０７Ωｃｍのオーダー以下であることを特徴とする樹脂電極。
【請求項６】
請求項５において、当該樹脂電極を１５℃で２７％ＲＨの条件で放電電極の対向電極として放電特性を測定した場合に、放電特性（樹脂電極からなる対向電極での印加電圧／金属電極からなる対向電極での印加電圧）が１．００±０．０５であることを特徴とする樹脂電極。
【請求項７】
請求項５又は６において、前記導電性カーボンブラックが、基材となる樹脂に対して１８重量％〜３０重量％配合されていることを特徴とする樹脂電極。
【請求項８】
請求項５〜７の何れかにおいて、体積抵抗率が１０１０〜１０１３Ωｃｍの非集塵電極に対向配置して使用されることを特徴とする樹脂電極。
【請求項９】
請求項５〜８の何れかの樹脂電極を用いたことを特徴とする静電式集塵装置。
【請求項１０】
アイオナイザ−コレクタ一体型静電式集塵装置のアイオナイザ部対向電極とコレクタ部集塵電極の機能を有する樹脂電極であって、ポリオレフィン又はポリエステル樹脂に、窒素比表面積が５００ｍ２／ｇ以上であり、ＤＢＰ吸油量が２００ｃｍ３／１００ｇ以上である導電性カーボンブラックを配合した導電性樹脂からなり、体積抵抗率が１０７Ωｃｍのオーダー以下であり、且つ１５℃で２７％ＲＨの条件で放電させたときの放電特性（樹脂電極からなる対向電極での印加電圧／金属電極からなる対向電極での印加電圧）が１．００±０．０５であることを特徴とする樹脂電極。
【請求項１１】
請求項１０において、前記導電性カーボンブラックが、基材となる樹脂に対して１８重量％〜３０重量％配合されていることを特徴とする樹脂電極。
【請求項１２】
請求項１０又は１１の樹脂電極を用いたことを特徴とする静電式集塵装置。
【手続補正書】
【提出日】平成17年5月30日(2005.5.30)
【手続補正１】
【補正対象書類名】明細書
【補正対象項目名】０００８
【補正方法】変更
【補正の内容】
【０００８】図３及び４において、１１は座金、１２は弾性体（本例では皿バネ）、１３は座金、１４はリング，１５はばね、１６はボルト、１７はナット、１８は被締付物である。リング１４には孔１４ａがボルト１６には孔１６ａがあり、ばね１５の先端が孔１４ａに後端は孔１６ａにそれぞれ挿入されている。ばね１５を撓ませながら図４のＬ位置でナット１７を締付けていくと弾性体１２は変形し隙間Ｇは減少し、ついには零となりリング１４は指先では回動不能となる。この時点が規定の締付力を示す。なじみ等により締付力が減少すると弾性体１２は元に戻ろうとするので座金１３とリング１４の間に極めて僅かな隙間が生ずる。その結果リング１４は、ばね１５のばね力により時計方向に回転しＦ位置となる。
又、ばね１５の後端は孔１６ａではなく座金１３に一体化（接着等）される場合もあり、同等な機能が得られる。
【手続補正２】
【補正対象書類名】図面
【補正対象項目名】図６
【補正方法】変更
【補正の内容】
【図６】
2005180676.tif 000001
【手続補正書】
【提出日】平成17年6月1日(2005.6.1)
【手続補正１】
【補正対象書類名】特許請求の範囲
【補正対象項目名】全文
【補正方法】変更
【補正の内容】
【特許請求の範囲】
【請求項１】
雌ねじ部材に螺合するボールねじのねじ軸周面を密封するシールにおいて、
環状の芯金を有し、前記雌ねじ部材に取り付けられる取付部と、
前記取付部から延在し、前記ボールねじのねじ軸周面に当接することにより所定の弾性力を前記ねじ軸周面に付与する環状のシール片とからなり、
前記シール片は、前記ボールねじのねじ軸周面に対し斜めに当接し、当接する前記ねじ軸周面に応じて所定の一方向に撓むようになっているボールねじ用密封形シール。